(57)【要約】【課題】ランプ交換の際の手間を軽減させることができるとともにコストの上昇を抑制することができるトンネル照明システムを提供する。【解決手段】トンネル照明システム１は、複数のトンネル照明器具２及びトンネル照明器具２の点灯を制御するＣＰＵ７等を備えている。ＣＰＵ７は、タイマ９及びＲＯＭ１１等により全てのトンネル照明器具２ａ〜２ｄの累積点灯時間がほぼ均一になるようにトンネル照明器具２ａ〜２ｄを間引き点灯させる。【選択図】      図１
2004220892.tif 000002
【特許請求の範囲】
【請求項１】
トンネル内を照らすランプを備えた複数のトンネル照明器具と、
全ての前記トンネル照明器具の累積点灯時間がほぼ均一になるような点灯パターンに基づいて前記トンネル照明器具を間引き点灯させる制御系と、を具備することを特徴とするトンネル照明システム。
【請求項２】
前記ランプは、蛍光ランプであることを特徴とする請求項１記載のトンネル照明システム。
【発明の詳細な説明】
【０００１】
【発明の属する技術分野】本発明は、トンネル内を照らすトンネル照明器具を備えたトンネル照明システムに関する。
【０００２】
【従来の技術】従来から高速道路等のトンネル内には、トンネル内を照らすトンネル照明器具が設置されている。このようなトンネル照明器具の光源には、高輝度放電ランプ或いは蛍光ランプが使用されている。
【０００３】
ところで、トンネル維持管理費の低減のため減光を行うことがある。高輝度放電ランプにおける減光は高輝度放電ランプを間引き点灯させることにより行われている。ここで、高輝度放電ランプの間引き点灯は、所定の高輝度放電ランプを点灯させることにより、行われている。また、蛍光ランプにおける減光は全部の蛍光ランプを調光点灯させることにより行われている。
【０００４】
なお、現在、植物育成用の人工光源装置として、一定の期間で点灯する累積点灯時間を均一になるように各人工光源を制御したものが開示されている（特許文献１参照）。
【０００５】
【特許文献１】特開平９−２８９８３２号公報
【０００６】
ここで、上記特許文献は、植物育成用の人工光源装置であり、トンネル照明装置とは、技術分野が異なる。また、トンネル照明装置は均斉度について厳しい要求があり、均斉度について考慮する必要があるのに対し、植物育成用の人工光源装置は均斉度についてはあまり考慮する必要がない。
【０００７】
【発明が解決しようとする課題】しかしながら、減光の際所定の高輝度放電ランプだけを点灯させると、減光の際消灯している高輝度放電ランプとの間に寿命のバラツキが発生し、ランプ交換に手間がかかるという問題がある。
【０００８】
また、蛍光ランプを調光点灯させる場合には、調光器等を必要とし、また制御系が複雑化するので、器具単価及び初期設備費が上昇してしまうという問題がある。
【０００９】
本発明は上記従来の問題を解決するためになされたものである。即ち、ランプ交換の際の手間を軽減させることができるとともにコストの上昇を抑制することができるトンネル照明システムを提供することを目的とする。
【００１０】
【課題を解決しようとする手段】請求項１記載のトンネル照明システムは、トンネル内を照らすランプを備えた複数のトンネル照明器具と、全てのトンネル照明器具の累積点灯時間がほぼ均一になるような点灯パターンに基づいてトンネル照明器具を間引き点灯させる制御系と、を具備することを特徴としている。請求項１記載のトンネル照明システムは、制御系を備えているので、ランプ交換の際の手間を軽減させることができるとともにコストの上昇を抑制することができる。
【００１１】
請求項２記載のトンネル照明システムは、ランプが蛍光ランプであることを特徴としている。トンネル照明器具のランプとして蛍光ランプを使用することにより、均斉度の低下を抑制することができる。
【００１２】
【発明の実施の形態】以下、本発明の実施の形態に係るトンネル照明システムについて説明する。図１は本実施の形態に係るトンネル照明システムの模式的な回路図であり、図２は本実施の形態に係るトンネル照明器具の模式的な平面図である。
【００１３】
図１に示されるように、トンネル照明システム１は、トンネル内を照らすための複数のトンネル照明器具２を備えている。トンネル照明器具２は、４つで１ユニットを構成している。
【００１４】
ここで、各ユニットを構成するトンネル照明装置２は、以下のような構造になっている。図２に示されるように、トンネル照明器具２は、前面に開口が形成されたシャーシ２１を備えている。シャーシ２１には、トンネル用照明器具２をトンネルの内壁に取り付けられた図示しないステーに取り付けるための複数の取付耳２１ａが形成されている。本実施の形態では、４つの取付耳２１ａがシャーシに形成されている。取付耳２１ａには、ネジ穴２１ｂが形成されている。ネジ穴２１ｂにネジを挿入し、ネジを図示しないステーに取り付けることにより、ステーにトンネル照明器具２が取り付けられる。
【００１５】
シャーシ２の前面には、パッキン２２を介して開口を覆うように蓋体２３が取り付けられている。蓋体２３には開口が形成されており、この開口には透光性カバー２４が嵌め込まれている。開口に透光性カバー２４を嵌め込むことにより、後述する蛍光ランプ２７から発せられた光が透光性カバー２４を介してトンネル照明器具２外部に放射される。
【００１６】
シャーシ２１及び蓋体２３の一方の側には、蓋体２３をシャーシ２１に対して開閉させるためのヒンジ２５が取り付けられており、シャーシ２１及び蓋体２３の他方の側には、蓋体２３をシャーシ２１に対して固定するためのラッチ２６が取り付けられている。
【００１７】
シャーシ２１の内部には、蛍光ランプ２７が設置されている。蛍光ランプ２７のバルブ２７ａは屈曲しており、バルブ２７ａの端部には口金２７ｂが取り付けられている。口金２７ｂをランプソケット２８に嵌め込むことにより、蛍光ランプ２７がシャーシ２１内部に固定される。蛍光ランプ２７の背面側には、蛍光ランプ２７から発せられる光を反射して、トンネル照明器具２の外部に光を導く反射体２９が設置されている。
【００１８】
各ユニットを構成するトンネル照明器具２ａ〜２ｄは、互いに異なる回路３に接続されている。具体的には、トンネル照明器具２ａは回路３ａに接続されており、トンネル照明器具２ｂは回路３ｂに接続されており、トンネル照明器具２ｃは回路３ｃに接続されており、トンネル照明器具２ｄは回路３ｄに接続されている。
【００１９】
回路３には、トンネル照明器具２に交流電流を供給するための交流電源４及びトンネル照明器具２を点灯及び消灯させるためのＯＮ／ＯＦＦ可能なリレー５が介在している。リレー５はリレー駆動回路６により駆動される。リレー駆動回路６には、リレー駆動回路６に信号を出力するＣＰＵ７がインターフェイス８を介して電気的に接続されている。ＣＰＵ７からリレー駆動回路６に信号を出力することにより、リレー駆動回路６が駆動し、リレー５がＯＮ状態或いはＯＦＦ状態になる。
【００２０】
ＣＰＵ７には、トンネル照明器具２の点灯時間及び消灯時間を計測するタイマ９がインターフェイス１０を介して電気的に接続されている。タイマ９は、所定時間毎にＣＰＵ７に信号を出力するように構成されている。具体的には、タイマ９ａは、点灯開始から３４時間経過したとき、更にその後１４時間経過したとき、更にその後１２時間経過したとき、更にその後１０時間経過したとき、更にその後１２時間経過したとき、更にその後１４時間経過したときにＣＰＵ７に信号を出力する。
【００２１】
タイマ９ｂは、点灯開始から１０時間経過したとき、更にその後１４時間経過したとき、更にその後３４時間経過したとき、更にその後１４時間経過したとき、更にその後１２時間経過したとき、更にその後１０時間経過したときにＣＰＵ７に信号を出力する。
【００２２】
タイマ９ｃは、点灯開始から１０時間経過したとき、更にその後１４時間経過したとき、更にその後１２時間経過したとき、更にその後１０時間経過したとき、更にその後１２時間経過したとき、更にその後１４時間経過したときにＣＰＵ７に信号を出力する。
【００２３】
タイマ９ｄは、点灯開始から１２時間経過したとき、更にその後１０時間経過したとき、更にその後１２時間経過したとき、更にその後１４時間経過したとき、更にその後３４時間経過したとき、更にその後１４時間経過したときにＣＰＵ７に信号を出力する。
【００２４】
ＣＰＵ７には、トンネル照明器具２の点灯パターン情報等が記憶されたＲＯＭ１１が電気的に接続されている。ＲＯＭ１１には、全てのトンネル照明器具２を点灯させる全点灯が１０時間行われ、その後４分の１のトンネル照明器具２を点灯させる１／４点灯が２時間行われ、その後半分のトンネル照明器具２を点灯させる１／２点灯が１０時間行われ、その後再び１／４点灯が２時間行われ、かつこれらの点灯を繰り返すような点灯パターン情報が記憶されている。
【００２５】
具体的には、ＲＯＭ１１には、９６時間で１周するようなトンネル照明器具２の点灯パターン情報が記憶されている。即ち、トンネル照明器具２ａが３４時間点灯し、その後１４時間消灯し、その後１２時間点灯し、その後１０時間消灯し、その後１２時間点灯し、その後１４時間消灯するような点灯パターン情報と、トンネル照明器具２ｂが１０時間点灯し、その後１４時間消灯し、その後３４時間点灯し、その後１４時間消灯し、その後１２時間点灯し、その後１０時間消灯し、その後２時間点灯するような点灯パターン情報と、トンネル照明器具２ｃが１０時間点灯し、その後１４時間消灯し、その後１２時間点灯し、その後１０時間消灯し、その後１２時間点灯し、その後１４時間消灯し、その後２４時間点灯するような点灯パターン情報と、トンネル照明器具２ｄが１２時間点灯し、その後１０時間消灯し、その後１２時間点灯し、その後１４時間消灯し、その後３４時間点灯し、その後１４時間消灯するような点灯パターン情報が記憶されている。
【００２６】
次に、本実施の形態に係るトンネル照明システム１の動作状態について説明する。図３（ａ）及び図３（ｂ）は本実施の形態に係るトンネル照明器具１をトンネル内に設置したときのトンネル内の様子を模式的に示した図であり、図４及び図５は本実施の形態に係るトンネル照明器具２の点灯状態を模式的に示した図である。
【００２７】
まず、図３（ａ）及び図３（ｂ）に示されるようにトンネル照明器具２がトンネルＴ内に設置された状態で、トンネル照明システム１がＯＮされ、全てのトンネル照明器具２ａ〜２ｄが点灯する。これにより、図４（ａ）に示されるようにトンネル照明器具２ａ〜２ｄが全点灯した状態になる。
【００２８】
トンネル照明器具２ａ〜２ｄが全点灯した状態から（点灯開始から）１０時間経過したとき、タイマ９ｂ，９ｃから信号がＣＰＵ７に出力される。ＣＰＵ７は、タイマ９ｂ，９ｃから出力された信号及びＲＯＭ１１に記憶された点灯パターン情報に基づいてリレー駆動回路６にリレー５をＯＦＦ状態にする信号を出力する。これにより、トンネル照明器具２ｂ，２ｃが消灯し、図４（ｂ）に示されるようにトンネル照明器具２が１／２点灯した状態になる。
【００２９】
トンネル照明器具２が１／２点灯した状態から２時間経過したとき（点灯開始から１２時間経過したとき）、タイマ９ｄから信号がＣＰＵ７に出力される。ＣＰＵ７は、タイマ９ｄから出力された信号及びＲＯＭ１１に記憶された点灯パターン情報に基づいてリレー駆動回路６にリレー５をＯＦＦ状態にする信号を出力する。これにより、トンネル照明器具２ｄが消灯し、図４（ｃ）に示されるようにトンネル照明器具２が１／４点灯した状態になる。
【００３０】
トンネル照明器具２が１／４点灯した状態から１０時間経過したとき（トンネル照明器具２ｄが消灯してから１０時間経過したとき）、タイマ９ｄから信号がＣＰＵ７に出力される。ＣＰＵ７は、タイマ９ｄから出力された信号及びＲＯＭ１１に記憶された点灯パターン情報に基づいてリレー駆動回路６にリレー５をＯＮ状態にする信号を出力する。これにより、トンネル照明器具２ｄが点灯し、図４（ｄ）に示されるようにトンネル照明器具２が１／２点灯した状態になる。
【００３１】
トンネル照明器具２が１／２点灯した状態から２時間経過したとき（トンネル照明器具２ｂ，２ｃが消灯してから１４時間経過したとき）、タイマ９ｂ，９ｃから信号がＣＰＵ７に出力される。ＣＰＵ７は、タイマ９ｂ，９ｃから出力された信号及びＲＯＭ１１に記憶された点灯パターン情報に基づいてリレー駆動回路６にリレー５をＯＮ状態にする信号を出力する。これにより、トンネル照明器具２ｂ，２ｃが点灯し、図４（ｅ）に示されるようにトンネル照明器具２が全点灯した状態になる。
【００３２】
トンネル照明器具２が全点灯した状態から１０時間経過したとき（トンネル照明器具２ａが点灯してから３４時間経過及びトンネル照明器具２ｄが点灯してから１２時間経過したとき）、タイマ９ａ，９ｄから信号がＣＰＵ７に出力される。ＣＰＵ７は、タイマ９ａ，９ｄから出力された信号及びＲＯＭ１１に記憶された点灯パターン情報に基づいてリレー駆動回路６にリレー５をＯＦＦ状態にする信号を出力する。これにより、トンネル照明器具２ａ，２ｄが消灯し、図４（ｆ）に示されるようにトンネル照明器具２が１／２点灯した状態になる。
【００３３】
トンネル照明器具２が１／２点灯した状態から２時間経過したとき（トンネル照明装置２ｃが点灯してから１２時間経過したとき）、タイマ９ｃから信号がＣＰＵ７に出力される。ＣＰＵ７は、タイマ９ｃから出力された信号及びＲＯＭ１１に記憶された点灯パターン情報に基づいてリレー駆動回路６にリレー５をＯＦＦ状態にする信号を出力する。これにより、トンネル照明器具２ｃが消灯し、図４（ｇ）に示されるようにトンネル照明器具２が１／４点灯した状態になる。
【００３４】
トンネル照明器具２が１／４点灯の状態から１０時間経過したとき（トンネル照明器具２ｃが消灯してから１０時間経過したとき）、タイマ９ｃから信号がＣＰＵ７に出力される。ＣＰＵ７は、タイマ９ｃから出力された信号及びＲＯＭ１１に記憶された点灯パターン情報に基づいてリレー駆動回路６にリレー５をＯＮ状態にする信号を出力する。これにより、トンネル照明器具２ｃが点灯し、図４（ｈ）に示されるようにトンネル照明器具２が１／２点灯した状態になる。
【００３５】
トンネル照明器具２が１／２点灯の状態から２時間経過したとき（トンネル照明器具２ａ，２ｄが消灯してから１４時間経過したとき）、タイマ９ａ，９ｄから信号がＣＰＵ７に出力される。ＣＰＵ７は、タイマ９ａ，９ｄから出力された信号及びＲＯＭ１１に記憶された点灯パターン情報に基づいてリレー駆動回路６にリレー５をＯＮ状態にする信号を出力する。これにより、トンネル照明器具２ａ，２ｄが点灯し、図５（ａ）に示されるようにトンネル照明器具２が全点灯した状態になる。
【００３６】
トンネル照明器具２が全点灯した状態から１０時間経過したとき（トンネル照明器具２ｂが点灯してから３４時間経過及びトンネル照明装置２ｃが点灯してから１２時間経過したとき）、タイマ９ｂ，９ｃから信号がＣＰＵに出力される。
ＣＰＵ７は、タイマ９ａ，９ｃから出力された信号及びＲＯＭ１１に記憶された点灯パターン情報に基づいてリレー駆動回路６にリレー５をＯＦＦ状態にする信号を出力する。これにより、トンネル照明器具９ｂ，９ｃが消灯し、図５（ｂ）に示されるようにトンネル照明器具２が１／２点灯した状態になる。
【００３７】
トンネル照明器具２が１／２点灯した状態から２時間経過したとき（トンネル照明装置２ａが点灯してから１２時間経過したとき）、タイマ９ａから信号がＣＰＵ７に出力される。ＣＰＵ７は、タイマ９ａから出力された信号及びＲＯＭ１１に記憶された点灯パターン情報に基づいてリレー駆動回路６にリレー５をＯＦＦ状態にする信号を出力する。これにより、トンネル照明器具２ａが消灯し、図５（ｃ）に示されるようにトンネル照明器具２が１／４点灯した状態になる。
【００３８】
トンネル照明器具２が１／４点灯した状態から１０時間経過したとき（トンネル照明器具２ａが消灯してから１０時間経過したとき）、タイマ９ａから信号がＣＰＵ７に出力される。ＣＰＵ１１は、タイマ９ａから出力された信号及びＲＯＭ１１に記憶された点灯パターン情報に基づいてリレー駆動回路６にリレー５をＯＮ状態にする信号を出力する。これにより、トンネル照明器具２ａが点灯し、図５（ｄ）に示されるようにトンネル照明器具２が１／２点灯した状態になる。
【００３９】
トンネル照明器具２が１／２点灯の状態から２時間経過したとき（トンネル照明器具２ｂ，２ｃが消灯してから１４時間経過したとき）、タイマ９ｂ，９ｃから信号がＣＰＵ７に出力される。ＣＰＵ７は、タイマ９ｂ，９ｃから出力された信号及びＲＯＭ１１に記憶された点灯パターン情報に基づいてリレー駆動回路６にリレー５をＯＮ状態にする信号を出力する。これにより、トンネル照明器具２ｂ，２ｃが点灯し、図５（ｅ）に示されるようにトンネル照明器具２が全点灯した状態になる。
【００４０】
トンネル照明器具２が全点灯した状態から１０時間経過したとき（トンネル照明装置２ａが点灯してから１２時間経過及びトンネル照明器具２ｄが点灯してから３４時間経過したとき）、タイマ９ａ，９ｄから信号がＣＰＵ７に出力される。ＣＰＵ７は、タイマ９ａ，９ｄから出力された信号及びＲＯＭ１１に記憶された点灯パターン情報に基づいてリレー駆動回路６にリレー５をＯＦＦ状態にする信号を出力する。これにより、トンネル照明器具９ａ，９ｄが消灯し、図５（ｆ）に示されるようにトンネル照明器具２が１／２点灯した状態になる。
【００４１】
トンネル照明器具２が１／２点灯した状態から２時間経過したとき（トンネル照明装置２ｂが点灯してから１２時間経過したとき）、タイマ９ｂから信号がＣＰＵ７に出力される。ＣＰＵ７は、タイマ９ｂから出力された信号及びＲＯＭ１１に記憶された点灯パターン情報に基づいてリレー駆動回路６にリレー５をＯＦＦ状態にする信号を出力する。これにより、トンネル照明器具２ｂが消灯し、図５（ｇ）に示されるようにトンネル照明器具２が１／４点灯した状態になる。
【００４２】
トンネル照明器具２が１／４点灯した状態から１０時間経過したとき（トンネル照明器具２ｂが消灯してから１０時間経過したとき）、タイマ９ｂから信号がＣＰＵ７に出力される。ＣＰＵ７は、タイマ９ｂから出力された信号及びＲＯＭ１１に記憶された点灯パターン情報に基づいてリレー駆動回路６にリレー５をＯＮ状態にする信号を出力する。これにより、トンネル照明器具２ｂが点灯し、図５（ｈ）に示されるようにトンネル照明器具２が１／２点灯した状態になる。
【００４３】
トンネル照明器具２は、これらを１サイクルとして、複数サイクル繰り返しながら点灯或いは消灯する。
【００４４】
本実施の形態では、トンネル照明器具２ａ〜２ｄの累積点灯時間が均一になるような点灯パターンに基づいてトンネル照明器具２ａ〜２ｄを間引き点灯させるので、ランプ交換の際の手間を軽減させることができるとともにコストの上昇を抑制することができる。即ち、上記のようにトンネル照明器具２ａ〜２ｄを間引き点灯させると、トンネル照明器具２ａ〜２ｄの累積点灯時間がほぼ均一になり、蛍光ランプ２７がほぼ同時期に寿命を迎える。それ故、ランプ交換の際の手間を軽減させることができる。また、減光を行うのに調光器等を必要とせず、かつ制御系を単純化することができるので、コストの上昇を抑制することができる。
【００４５】
本実施の形態では、トンネル照明器具２の光源として、蛍光ランプ２７を使用しているので、高輝度放電ランプよりも均斉度の低下を抑制することができる。
即ち、高輝度放電ランプは点発光であるため、間引き点灯すると、均斉度が著しく低下してしまう。これに対し、蛍光ランプ２７は面発光であるため、間引き点灯した場合であっても均斉度の低下が小さい。それ故、間引き点灯した場合に高輝度放電ランプよりも均斉度の低下を抑制することができる。
【００４６】
なお、本発明は上記実施の形態の記載内容に限定されるものではなく、構造や材質、各部材の配置等は、本発明の要旨を逸脱しない範囲で適宜変更可能である。例えば、上記実施の形態では、１本の蛍光ランプ２７を備えたトンネル照明器具２を使用しているが、複数本の蛍光ランプを備えたトンネル照明器具２を使用してもよい。
【００４７】
【発明の効果】以上詳説したように、請求項１記載のトンネル照明システムによれば、ランプ交換の際の手間を軽減させることができるとともにコストの上昇を抑制することができる。また、請求項２記載のトンネル照明システムによれば、均斉度の低下を抑制することができる。
【図面の簡単な説明】
【図１】図１は実施の形態に係るトンネル照明システムの模式的な回路図である。
【図２】図２は実施の形態に係るトンネル照明器具の模式的な平面図である。
【図３】図３（ａ）及び図３（ｂ）は実施の形態に係るトンネル照明器具をトンネル内に設置したときのトンネル内の様子を模式的に示した図である。
【図４】図４（ａ）〜図４（ｄ）は実施の形態に係るトンネル照明器具の点灯状態を模式的に示した図である。
【図５】図５（ａ）〜図５（ｄ）は実施の形態に係るトンネル照明器具の点灯状態を模式的に示した図である。
【符号の説明】
１…トンネル照明システム
２…トンネル照明器具
７…ＣＰＵ
９…タイマ
１１…ＲＯＭ
２７…蛍光ランプ
【図１】
2004220892.tif 000003
【図２】
2004220892.tif 000004
【図３】
2004220892.tif 000005
【図４】
2004220892.tif 000006
【図５】
2004220892.tif 000007